【事件の表示】
　特許第３４５２１９８号「画像印刷装置および方法、印刷媒体、並びにプログラム」の請求項１から請求項５まで、請求項７から請求項１１まで、請求項１３および請求項１４に係る特許に対する特許異議の申立てについて、次のとおり決定する。
【結　論】
　訂正を認める。
　特許第３４５２１９８号の請求項１から請求項５まで、請求項７から請求項１１まで、請求項１３および請求項１４に係る特許を維持する。
【理　由】
１．手続の経緯
　本件特許（特許第３４５２１９８号：請求項の数１４）に係る発明についての出願は、平成１２年８月２５日にした特許出願（特願２０００−２５６２９５号）の一部を新たな特許出願とした出願（特願２００１−３３１４７４号、平成１３年１０月２９日出願）について、その一部をさらに新たな特許出願とした平成１４年１月１６日の出願であり、その発明について、平成１５年７月１８日に特許権の設定の登録がされた。
　その後、その請求項１から請求項５まで、請求項７から請求項１１まで、請求項１３および請求項１４に係る特許に対して、平成１５年１２月２６日に、森崎慎二から特許異議の申立てがあった。
　平成１７年５月１８日付けで取消しの理由が通知されたところ、同通知において指定された期間内（平成１７年８月１日）に、訂正請求書が提出された。
　
２．訂正の請求
（１）結論
　訂正を認める。
（２）理由
　（ａ）請求の趣旨
　平成１７年８月１日付け訂正請求書（本件訂正という）の趣旨は、願書に添付した明細書（特許明細書）を訂正請求書に添付した訂正した明細書（訂正明細書）のとおりに訂正することを求めるものである。
　（ｂ）訂正の内容
　〈訂正事項１〉
　請求項１において、
　「前記落書き手段は、前記選択手段により選択された前記第１の落書き対象画像と前記第２の落書き対象画像が同一の画像であった場合、前記第１の落書き対象画像に対して受け付けられた前記落書き入力に基づいて、前記第１の落書き対象画像だけでなく、前記第２の落書き対象画像に落書きし、前記第２の落書き対象画像に対して受け付けられた前記落書き入力に基づいて、前記第２の落書き対象画像だけでなく、前記第１の落書き対象画像に落書きする処理を繰り返し、」（訂正前）とあるのを、
　「前記落書き手段は、前記選択手段により選択された前記第１の落書き対象画像と前記第２の落書き対象画像が同一の画像であった場合、前記第１の落書き対象画像に対して受け付けられた前記落書き入力に基づいて、前記第１の落書き対象画像に落書きし、前記第１の落書き対象画像に対して受け付けられた前記落書き入力に基づいて、前記第１の落書き対象画像にされた落書きを前記第２の落書き対象画像に反映させて、前記第２の落書き対象画像に落書きし、前記第２の落書き対象画像に対して受け付けられた前記落書き入力に基づいて、前記第２の落書き対象画像に落書きし、前記第２の落書き対象画像に対して受け付けられた前記落書き入力に基づいて、前記第２の落書き対象画像にされた落書きを前記第１の落書き対象画像に反映させて、前記第１の落書き対象画像に落書きする処理を繰り返し、」（訂正後）と書き換える。
　〈訂正事項２〉
　請求項８において、
　「前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像だけでなく、前記第２の落書き対象画像に落書きし、前記第２の落書き対象画像に対して受け付けられた前記落書き入力に基づいて、前記第２の落書き対象画像だけでなく、前記第１の落書き対象画像に落書きする処理を繰り返し、」（訂正前）とあるのを、
　「前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像に落書きし、前記第１の落書き対象画像に対して受け付けられた前記落書き入力に基づいて、前記第１の落書き対象画像にされた落書きを前記第２の落書き対象画像に反映させて、前記第２の落書き対象画像に落書きし、前記第２の落書き対象画像に対して受け付けられた前記落書き入力に基づいて、前記第２の落書き対象画像に落書きし、前記第２の落書き対象画像に対して受け付けられた前記落書き入力に基づいて、前記第２の落書き対象画像にされた落書きを前記第１の落書き対象画像に反映させて、前記第１の落書き対象画像に落書きする処理を繰り返し、」（訂正後）と書き換える。
　〈訂正事項３〉
　請求項１４において、
　「前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像だけでなく、前記第２の落書き対象画像に落書きし、前記第２の落書き対象画像に対して受け付けられた前記落書き入力に基づいて、前記第２の落書き対象画像だけでなく、前記第１の落書き対象画像に落書きする処理を繰り返し、」（訂正前）とあるのを、
　「前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像に落書きし、前記第１の落書き対象画像に対して受け付けられた前記落書き入力に基づいて、前記第１の落書き対象画像にされた落書きを前記第２の落書き対象画像に反映させて、前記第２の落書き対象画像に落書きし、前記第２の落書き対象画像に対して受け付けられた前記落書き入力に基づいて、前記第２の落書き対象画像に落書きし、前記第２の落書き対象画像に対して受け付けられた前記落書き入力に基づいて、前記第２の落書き対象画像にされた落書きを前記第１の落書き対象画像に反映させて、前記第１の落書き対象画像に落書きする処理を繰り返し、」（訂正後）と書き換える。
　〈訂正事項４〉
　段落0007、段落0015、段落0016、段落0017および段落0018のそれぞれにおいて、　「第１の落書き対象画像と第２の落書き対象画像が同一の画像であった場合、第１の落書き対象画像に対して受け付けられた落書き入力に基づいて、第１の落書き対象画像だけでなく、第２の落書き対象画像に落書きし、第２の落書き対象画像に対して受け付けられた落書き入力に基づいて、第２の落書き対象画像だけでなく、第１の落書き対象画像に落書きする処理を繰り返し、」（訂正前）とあるのを、
　「第１の落書き対象画像と第２の落書き対象画像が同一の画像であった場合、第１の落書き対象画像に対して受け付けられた落書き入力に基づいて、第１の落書き対象画像に落書きし、第１の落書き対象画像に対して受け付けられた落書き入力に基づいて、第１の落書き対象画像にされた落書きを第２の落書き対象画像に反映させて、第２の落書き対象画像に落書きし、第２の落書き対象画像に対して受け付けられた落書き入力に基づいて、第２の落書き対象画像に落書きし、第２の落書き対象画像に対して受け付けられた落書き入力に基づいて、第２の落書き対象画像にされた落書きを第１の落書き対象画像に反映させて、第１の落書き対象画像に落書きする処理を繰り返し、」（訂正後）と書き換える。
　（ｃ）訂正の適合性
　（ｃ−１）訂正の目的
　〈訂正事項１から訂正事項３まで〉
　各訂正は、いずれも、第１の落書き対象画像に対して受け付けられた落書き入力に基づいてする、「第１の落書き対象画像だけでなく、第２の落書き対象画像に落書きする処理」（訂正前）を、「第１の落書き対象画像に落書きし、第１の落書き対象画像にされた落書きを第２の落書き対象画像に反映させて、第２の落書き対象画像に落書きする処理」（訂正後）とさらに限定するものであり、同じく、第２の落書き対象画像に対して受け付けられた落書き入力に基づいてする、「第２の落書き対象画像だけでなく、第１の落書き対象画像に落書きする処理」（訂正前）を、「第２の落書き対象画像に落書きし、第２の落書き対象画像にされた落書きを第１の落書き対象画像に反映させて、第１の落書き対象画像に落書きする処理」（訂正後）とさらに限定するものである。いずれも、特許請求の範囲の減縮に該当する。
　上記各訂正に伴い、残る請求項の全て（請求項１または請求項８を引用する請求項）も訂正されることとなるところ、これらの請求項に係る訂正も、同じく、特許請求の範囲の減縮に該当する。
　〈訂正事項４〉
　各訂正は、特許請求の範囲の記載と発明の詳細な説明の記載との整合をとるためにする訂正である。いずれも、明りょうでない記載の釈明に該当する。
　（ｃ−２）訂正の範囲
　訂正事項１から訂正事項４までについては、特許明細書の段落0080から段落0083まで、段落0085、図１４および図１５にその旨の記載がある。いずれも、願書に添付した明細書又は図面に記載した事項の範囲内においてする訂正である。
　（ｃ−３）特許請求の範囲の拡張・変更
　訂正事項１から訂正事項４までについては、訂正の前後において、特許請求の範囲の記載された用語の意義の解釈、産業上の利用分野、解決しようとする課題及び効果に変更をもたらすものではない。いずれも、実質上特許請求の範囲を拡張し又は変更するものではない。
　（ｃ−４）独立特許要件
　訂正後の請求項１から請求項１４までについてする訂正がいずれも特許請求の範囲の減縮に該当することは前記のとおりであるところ、そのうち、特許異議の申立てがされていない請求項は、請求項６および請求項１２である。そこで、訂正後の請求項６および請求項１２に係る発明につき、その独立特許要件について検討する。
　訂正後の請求項６および請求項１２に係る発明はいずれも、下記主要構成を含むものである。他方、同主要構成を含む発明を、下記証拠方法に記載された発明に基づいて当業者が容易に発明をすることができたものであるとすることができないことは、後記のとおりである。訂正後の請求項６および請求項１２に係る発明のいずれも、同様の理由により、下記証拠方法に記載された発明に基づいて当業者が容易に発明をすることができたものであるとすることはできない。
　訂正後の請求項６および請求項１２に係る発明は、特許出願の際独立して特許を受けることができるものである。
　（ｃ−５）小括（適合性）
　以上、本件訂正は、特許法第１２０条の４第２項の規定および同条第３項で準用する第１２６条第２項から第４項までの規定に適合する。
　（ｄ）むすび
　以上のとおりであるから、本件訂正を認める。
　
３．本件発明
　本件訂正を認める。
　本件において、訂正後の請求項１から請求項１４までに係る発明は、それぞれ、訂正明細書の特許請求の範囲の請求項１から請求項１４までに記載された事項によりに特定される下記のとおりのものである。下線は訂正部分を示す。
　　　　　記（訂正明細書の特許請求の範囲）
　【請求項１】　被写体を撮影する撮影手段と、
　前記撮影手段により撮影された前記被写体の複数の画像のうちの、落書きの対象となる落書き対象画像の一覧を表示するとともに、前記落書き対象画像の一覧から選択された第１の落書き対象画像および第２の落書き対象画像を表示する、同一筐体に設けられた第１の表示画面と第２の表示画面から構成される表示手段と、
　前記表示手段により表示された前記落書き対象画像の一覧の中から、前記第１の表示画面に表示させる前記第１の落書き対象画像および前記第２の表示画面に表示させる前記第２の落書き対象画像を選択する選択手段と、
　前記第１の表示画面に表示された前記第１の落書き対象画像に対して入力された落書き入力を受け付ける第１の受付手段と、
　前記第２の表示画面に表示された前記第２の落書き対象画像に対して入力された落書き入力を受け付ける第２の受付手段と、
　前記第１の受付手段により前記第１の落書き対象画像に対して入力が受け付けられた前記落書き入力に基づいて、前記第１の落書き対象画像に落書きし、前記第２の受付手段により前記第２の落書き対象画像に対して入力が受け付けられた前記落書き入力に基づいて、前記第２の落書き対象画像に落書きする落書き手段と、
　前記落書き手段により落書きされた前記落書き対象画像をシートに印刷する印刷手段と
　を備え、
　前記落書き手段は、前記選択手段により選択された前記第１の落書き対象画像と前記第２の落書き対象画像が同一の画像であった場合、前記第１の落書き対象画像に対して受け付けられた前記落書き入力に基づいて、前記第１の落書き対象画像
に落書きし、前記第１の落書き対象画像に対して受け付けられた前記落書き入力に基づいて、前記第１の落書き対象画像にされた落書きを前記第２の落書き対象画像に反映させて、
に落書きし、前記第２の落書き対象画像に対して受け付けられた前記落書き入力に基づいて、前記第２の落書き対象画像にされた落書きを前記第１の落書き対象画像に反映させて、
　前記表示手段は、前記落書き手段により落書きされた前記第１の落書き対象画像を前記第１の表示画面に表示し、前記落書き手段により落書きされた前記第２の落書き対象画像を前記第２の表示画面に表示する
　ことを特徴とする画像印刷装置。
　【請求項２】　前記撮影手段により撮影された前記被写体の複数の画像を記憶する記憶手段をさらに備え、
　前記選択手段は、前記記憶手段により記憶されている前記複数の画像の中から、前記表示手段により表示される前記第１の落書き対象画像および前記第２の落書き対象画像を選択する
　ことを特徴とする請求項１に記載の画像印刷装置。
　【請求項３】　前記第１の受付手段および前記第２の受付手段は、前記落書きを消去する操作をさらに受け付け、
　前記落書き手段は、前記落書きを消去する前記操作に従って、前記落書きを消去する
　ことを特徴とする請求項１または２に記載の画像印刷装置。
　【請求項４】　前記表示手段は、前記シートの分割数を選択するための分割数選択画面をさらに表示する
　ことを特徴とする請求項１乃至３のいずれかに記載の画像印刷装置。
　【請求項５】　前記第１の表示画面と前記第２の表示画面は、前記筐体の同一面の左右に設けられている
　ことを特徴とする請求項１乃至４のいずれかに記載の画像印刷装置。
　【請求項６】　前記第１の受付手段と前記第２の受付手段が、前記第１の落書き対象画像および前記第２の落書き対象画像の同一位置に落書き入力を受け付けた場合、前記表示手段は、利用者が意図していない図形を表示させる
　ことを特徴とする請求項１乃至５のいずれかに記載の画像印刷装置。
　【請求項７】　前記表示手段は、前記選択手段により前記落書き対象画像の一覧の中から前記落書き対象画像が選択された場合、前記第１の表示画面または前記第２の表示画面に表示させる前記落書き対象画像を変更する
　ことを特徴とする請求項１乃至６のいずれかに記載の画像印刷装置。
　【請求項８】　被写体を撮影する撮影手段と、
　前記撮影手段により撮影された前記被写体の画像を表示する、同一筐体に設けられた第１の表示画面と第２の表示画面から構成される表示手段と
　を備える画像印刷装置の画像印刷方法において、
　前記被写体の複数の画像のうちの、落書きの対象となる落書き対象画像の一覧の前記表示手段への表示、並びに前記落書き対象画像の一覧から選択された第１の落書き対象画像および第２の落書き対象画像の前記表示手段への表示を制御する第１の表示制御ステップと、
　前記第１の表示制御ステップの処理により前記表示手段への表示が制御された前記落書き対象画像の一覧の中から、前記第１の表示画面に表示させる前記第１の落書き対象画像および前記第２の表示画面に表示させる前記第２の落書き対象画像を選択する選択ステップと、
　前記第１の表示画面に表示された前記第１の落書き対象画像に対して入力された落書き入力を第１の受付手段により受け付け、前記第２の表示画面に表示された前記第２の落書き対象画像に対して入力された落書き入力を第２の受付手段により受け付ける受付ステップと、
　前記受付ステップの処理により前記第１の落書き対象画像に対して入力が受け付けられた前記落書き入力に基づいて、前記第１の落書き対象画像に落書きし、
前記第２の落書き対象画像に対して入力が受け付けられた前記落書き入力に基づいて、前記第２の落書き対象画像に落書きする落書きステップと、
　前記落書きステップの処理により落書きされた前記落書き対象画像をシートに印刷する印刷ステップと
　を含み、
　前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像
に落書きし、前記第１の落書き対象画像に対して受け付けられた前記落書き入力に基づいて、前記第１の落書き対象画像にされた落書きを前記第２の落書き対象画像に反映させて、
に落書きし、前記第２の落書き対象画像に対して受け付けられた前記落書き入力に基づいて、前記第２の落書き対象画像にされた落書きを前記第１の落書き対象画像に反映させて、
　前記第１の表示制御ステップの処理では、前記落書きステップの処理により落書きされた前記第１の落書き対象画像の前記第１の表示画面への表示を制御し、前記落書きステップの処理により落書きされた前記第２の落書き対象画像の前記第２の表示画面への表示を制御する
　ことを特徴とする画像印刷方法。
　【請求項９】　前記撮影ステップの処理により撮影された前記被写体の複数の画像を記憶する記憶ステップをさらに含み、
　前記選択ステップの処理では、前記記憶ステップの処理により記憶されている前記複数の画像の中から、前記第１の表示制御ステップの処理により表示が制御される前記第１の落書き対象画像および前記第２の落書き対象画像を選択する
　ことを特徴とする請求項８に記載の画像印刷方法。
　【請求項１０】　前記第１の受付手段および前記第２の受付手段は、前記落書きを消去する操作をさらに受け付け、
　前記落書きステップの処理では、前記落書きを消去する前記操作に従って、前記落書きを消去する
　ことを特徴とする請求項８または９に記載の画像印刷方法。
　【請求項１１】　前記シートの分割数を選択するための分割数選択画面の表示を制御する第２の表示制御ステップをさらに含む
　ことを特徴とする請求項８乃至１０のいずれかに記載の画像印刷方法。
　【請求項１２】　前記第１の受付手段と前記第２の受付手段が、前記第１の落書き対象画像および前記第２の落書き対象画像の同一位置に落書き入力を受け付けた場合、前記第１の表示制御ステップの処理では、利用者が意図していない図形を表示させる
　ことを特徴とする請求項８乃至１１のいずれかに記載の画像印刷装置。
　【請求項１３】　前記第１の表示制御ステップの処理では、前記選択ステップの処理により前記落書き対象画像の一覧の中から前記落書き対象画像が選択された場合、前記第１の表示画面または前記第２の表示画面に表示させる前記落書き対象画像を変更する
　ことを特徴とする請求項８乃至１２のいずれかに記載の画像印刷方法。
　【請求項１４】　被写体を撮影する撮影手段と、
　前記撮影手段により撮影された前記被写体の画像を表示する、同一筐体に設けられた第１の表示画面と第２の表示画面から構成される表示手段と
　を備える画像印刷装置を制御するコンピュータに、
　前記被写体の複数の画像のうちの、落書きの対象となる落書き対象画像の一覧の前記表示手段への表示、並びに前記落書き対象画像の一覧から選択された第１の落書き対象画像および第２の落書き対象画像の前記表示手段への表示を制御する表示制御ステップと、
　前記表示制御ステップの処理により前記表示手段への表示が制御された前記落書き対象画像の一覧の中から、前記第１の表示画面に表示させる前記第１の落書き対象画像および前記第２の表示画面に表示させる前記第２の落書き対象画像を選択する選択ステップと、
　前記第１の表示画面に表示された前記第１の落書き対象画像に対して入力された落書き入力を第１の受付手段により受け付け、前記第２の表示画面に表示された前記第２の落書き対象画像に対して入力された落書き入力を第２の受付手段により受け付ける受付ステップと、
　前記受付ステップの処理により前記第１の落書き対象画像に対して入力が受け付けられた前記落書き入力に基づいて、前記第１の落書き対象画像に落書きし、前記第２の落書き対象画像に対して入力が受け付けられた前記落書き入力に基づいて、前記第２の落書き対象画像に落書きする落書きステップと、
　前記落書きステップの処理により落書きされた前記落書き対象画像をシートに印刷する印刷ステップと
　を実行させ、
　前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像
に落書きし、前記第１の落書き対象画像に対して受け付けられた前記落書き入力に基づいて、前記第１の落書き対象画像にされた落書きを前記第２の落書き対象画像に反映させて、
に落書きし、前記第２の落書き対象画像に対して受け付けられた前記落書き入力に基づいて、前記第２の落書き対象画像にされた落書きを前記第１の落書き対象画像に反映させて、
　前記表示制御ステップの処理では、前記落書きステップの処理により落書きされた前記第１の落書き対象画像の前記第１の表示画面への表示を制御し、前記落書きステップの処理により落書きされた前記第２の落書き対象画像の前記第２の表示画面への表示を制御する
　ことを特徴とするプログラム。
　
４．特許異議の申立て
　特許異議の申立ての理由は、概略、下記のとおりである。
　　　　　記（申立ての理由）
　　対　　象：請求項１から請求項１４まで（請求項６および請求項１２を　　　　　　　除く）
　　違反条項：特許法第２９条第２項
　　証拠方法：特開平１１−２３４６０２号公報（甲第１号証）
　　　　　　　特開平５−１６５９３２号公報（甲第２号証）
　　　　　　　特開２０００−６９４０４号公報（参考文献１）
　　　　　　　特開２０００−３６９２０号公報（参考文献２）
　　　　　　　意匠登録第９２４４９０号公報（参考文献３）
　　　　　　　特開平１１−２４４５２９号公報（参考文献４）
　
５．申立ての理由の検討
（５−１）本件各発明について
　（ａ）請求項１から請求項１４まで（請求項６および請求項１２を除く）に係る発明（本件各発明という）が備える下記の構成（主要構成という）は、申立人が提出した証拠方法のいずれにも記載されていない。また、各証拠方法に記載された事項を組み合わせても導き出すことはできない。
　　　　　記（本件各発明が備える主要構成）
　第１の落書き対象画像と第２の落書き対象画像が同一の画像であった場合、第１の落書き対象画像に対して受け付けられた落書き入力に基づいて、第１の落書き対象画像に落書きし、第１の落書き対象画像に対して受け付けられた落書き入力に基づいて、第１の落書き対象画像にされた落書きを第２の落書き対象画像に反映させて、第２の落書き対象画像に落書きし、第２の落書き対象画像に対して受け付けられた落書き入力に基づいて、第２の落書き対象画像に落書きし、第２の落書き対象画像に対して受け付けられた落書き入力に基づいて、第２の落書き対象画像にされた落書きを第１の落書き対象画像に反映させて、第１の落書き対象画像に落書きする処理を繰り返すこと。
　（ｂ）そして、本件各発明は、上記主要構成を備えることにより、「上述した公報に記載されている画像印刷装置は、画像の表示部が１つであるため、多くの利用者が撮影画像を迅速に確認することが困難である課題があった。　また、任意の文字、マークなどをタッチパネル上に書き込む入力ペンが複数設けられているのに対して、入力部となるタッチパネルが１つしかないため、一方の利用者が書き込みを行っている近傍のエリアに他方の利用者が書き込みを行うことが困難となり、結局、多数の利用者が短い時間内に、多くの文字、図形などを書き込んで楽しむことが困難である課題があった。」（段落0004、段落0005）との課題を解決し、「集入力を迅速かつ効率的に入力することができる。また、複数の利用者が同時に編集を行うことができ、さらに、複数の画像の編集操作が行い易くなる。」（段落0106）との効果を奏するものである。
　（ｃ）訂正後の請求項１から請求項１４まで（請求項６および請求項１２を除く）に係る発明は、上記証拠方法に記載された発明に基づいて当業者が容易に発明をすることができたものであるとすることはできない。
　
（５−２）証拠方法の検討
　本件各発明は、要約、２つの落書き対象画像（第１の落書き対象画像と第２の落書き対象画像）のそれぞれに対して落書き入力を受け付けることを前提に（請求項１の10行〜18行）、受け付けられた落書き入力を２つの落書き対象画像の相互間において反映させるものである。この点を中心に提出された証拠方法について検討を加えておく。
　（ａ）甲第１号証（特開平１１−２３４６０２号公報）
　（ａ１）甲第１号証には、「装置の前に立ったユーザはＣＣＤカメラ２により撮影され、その撮影された映像情報が制御装置５に送られる。制御装置５内では、カメラ２よりの映像情報（被写体画像）とタイトル情報供給装置１１よりの映像情報（背景画像）を合成装置５２により合成し、モニタ（情報表示装置）３に出力する。」（段落0017）との動作をする映像プリント遊戯装置に関して、「２台の映像プリント遊戯装置１００Ａ、Ｂを接続して情報通信を行う場合」（段落0015）について記載され、具体的には、「装置１００Ａでカメラ２により撮影されたオリジナル画像ＯＧａは制御装置５に送られ、映像編集装置５１により必要部分のみを切り抜いた切抜画像ＫＧａを得る。この切抜画像ＫＧａは合成装置５２に送られるとともに、通信により外部に送信する場合には出力（Ｏｕｔ）画像となる。・・・装置１００Ａでは、自己の画像ＫＧａと装置１００Ｂより送られてきた入力（Ｉｎ）画像ＫＧｂとを合成装置５２により合成し、モニター３に表示する。ユーザは・・・印刷装置６により合成画像ＧＧａをプリントして排出する。」（段落0020、段落0021、図３）との動作を行うことが記載されている。
　（ａ２）ここで、装置１００Ａの表示装置３と装置１００Ｂの表示装置３は、いずれも合成画像（ＧＧａ、ＧＧｂ）を表示する点においては同じであるものの、画像内容から見ると、合成画像ＧＧａと合成画像ＧＧｂは同一の画像ではない。甲第１号証の「２台の映像プリント装置を接続して情報通信を行う場合」（段落0015）を、本願各発明にいう「第１の落書き対象画像と第２の落書き対象画像が同一の画像であった場合」に相当するとすることはできない。
　（ａ３）また、「本実施形態では各遊戯装置が夫々制御装置（画像処理装置）５を備えているので、各装置毎にユーザの希望する態様で画像処理や合成が可能である。例えば、各自の画像の並べ方や背景画像の種類等を各装置で個別に設定することもできる。」（段落0022）、および、「各装置において編集済みの画像（切抜画像）が送信されるが、未編集の映像を他の装置に送ることもできる。また、各装置で受信した他の装置からの編集済み画像あるいは未編集映像を各装置において編集可能に構成することもできる。」（段落0023）の各記載によれば、各装置で個別に編集・合成が可能であることが認められるが、一方の装置から他方の装置に送信される「編集済みの画像」は単に「切抜画像」であることから、上記編集・合成を、本件各発明にいう「第１の落書き対象画像にされた落書きを第２の落書き対象画像に反映させて、第２の落書き対象画像に落書きし、」に相当するとすることはできない。
　（ｂ）甲第２号証（特開平５−１６５９３２号公報）
　（ｂ１）甲第２号証には、「複数のユーザが同じ画像データを見ながら、同時にその画像データを編集できる画像編集方法及びシステム」（段落0005）について記載されている。
　（ｂ２）しかし、その編集された同一の画像データが複数の端末装置に表示される態様は、各端末装置が同一の画像ファイル５ａにアクセスし同一の画像データを読み出して表示することによる結果にすぎない（段落0011）。甲第２号証は、本件各発明が前提とする上記「２つの落書き対象画像」に相当する構成を欠いている。
　なお、各端末装置が画像ファイル５ａから読み出した画像データを保持する手段（あるいは編集作業中の画像データを保持する手段）を備えることは明らかである。仮に、この保持手段に保持された画像データを上記「２つの落書き対象画像」に対応させたとしても、甲第２号証には、各端末装置の保持手段間で編集に関連した何某かの処理を行う趣旨の記載はないから、上記「２つの落書き対象画像の相互間において反映させる」に相当する構成を欠いていると言うべきである。
　（ｂ３）甲第２号証の「同時」の実質も、「この作業中の混乱を避けるため、あるオブジェクトに対して変更作業を行っている間、そのオブジェクトが表示されている画面上に「変更中」のメッセージを表示し、その人の作業が終わるまで他の人の変更作業は受けないようにしている。」（段落0017）との記載によれば、本件各発明の上記主要構成の「処理を繰り返すこと」による「複数の利用者が同時に編集を行うこと」（段落0106）とは異なるものである。
　（ｃ）参考文献１および参考文献２は撮影画像を編集する点において本件各発明との共通点が認められるが、本件各発明が前提とする上記「２つの落書き対象画像のそれぞれに対して落書き入力を受け付けること」について記載がない。参考文献３および参考文献４はゲーム装置に関するものであり、「落書き」を想定したものではない。
　
（５−３）まとめ
　以上、訂正後の請求項１から請求項１４まで（請求項６および請求項１２を除く）に係る発明は、特許法第２９条第２項の規定により特許を受けることができないとすることはできない。
　
６．むすび
　以上のとおりであるから、特許異議の申立ての理由及び証拠によっては、訂正後の請求項１から請求項５まで、請求項７から請求項１１まで、請求項１３および請求項１４に係る特許を取り消すことはできない。
　また、他に、訂正後の請求項１から請求項５まで、請求項７から請求項１１まで、請求項１３および請求項１４に係る特許を取り消すべき理由を発見しない。
　よって、結論のとおり決定をする。
【異議決定日】
平成１７年１０月１３日（２００５．１０．１３）
【訂正の要旨】
審決（決定）の【理由】欄参照。
（５４）【発明の名称】
画像印刷装置および方法、印刷媒体、並びにプログラム
（５７）【特許請求の範囲】
　【請求項１】被写体を撮影する撮影手段と、
　前記撮影手段により撮影された前記被写体の複数の画像のうちの、落書きの対象となる落書き対象画像の一覧を表示するとともに、前記落書き対象画像の一覧から選択された第１の落書き対象画像および第２の落書き対象画像を表示する、同一筐体に設けられた第１の表示画面と第２の表示画面から構成される表示手段と、
　前記表示手段により表示された前記落書き対象画像の一覧の中から、前記第１の表示画面に表示させる前記第１の落書き対象画像および前記第２の表示画面に表示させる前記第２の落書き対象画像を選択する選択手段と、
　前記第１の表示画面に表示された前記第１の落書き対象画像に対して入力された落書き入力を受け付ける第１の受付手段と、
　前記第２の表示画面に表示された前記第２の落書き対象画像に対して入力された落書き入力を受け付ける第２の受付手段と、
　前記第１の受付手段により前記第１の落書き対象画像に対して入力が受け付けられた前記落書き入力に基づいて、前記第１の落書き対象画像に落書きし、前記第２の受付手段により前記第２の落書き対象画像に対して入力が受け付けられた前記落書き入力に基づいて、前記第２の落書き対象画像に落書きする落書き手段と、
　前記落書き手段により落書きされた前記落書き対象画像をシートに印刷する印刷手段と
　を備え、
　前記落書き手段は、前記選択手段により選択された前記第１の落書き対象画像と前記第２の落書き対象画像が同一の画像であった場合、前記第１の落書き対象画像に対して受け付けられた前記落書き入力に基づいて、前記第１の落書き対象画像
に落書きし、前記第１の落書き対象画像に対して受け付けられた前記落書き入力に基づいて、前記第１の落書き対象画像にされた落書きを前記第２の落書き対象画像に反映させて、
に落書きし、前記第２の落書き対象画像に対して受け付けられた前記落書き入力に基づいて、前記第２の落書き対象画像にされた落書きを前記第１の落書き対象画像に反映させて、
　前記表示手段は、前記落書き手段により落書きされた前記第１の落書き対象画像を前記第１の表示画面に表示し、前記落書き手段により落書きされた前記第２の落書き対象画像を前記第２の表示画面に表示する
　ことを特徴とする画像印刷装置。
　【請求項２】前記撮影手段により撮影された前記被写体の複数の画像を記憶する記憶手段をさらに備え、
　前記選択手段は、前記記憶手段により記憶されている前記複数の画像の中から、前記表示手段により表示される前記第１の落書き対象画像および前記第２の落書き対象画像を選択する
　ことを特徴とする請求項１に記載の画像印刷装置。
　【請求項３】前記第１の受付手段および前記第２の受付手段は、前記落書きを消去する操作をさらに受け付け、
　前記落書き手段は、前記落書きを消去する前記操作に従って、前記落書きを消去する
　ことを特徴とする請求項１または２に記載の画像印刷装置。
　【請求項４】前記表示手段は、前記シートの分割数を選択するための分割数選択画面をさらに表示する
　ことを特徴とする請求項１乃至３のいずれかに記載の画像印刷装置。
　【請求項５】前記第１の表示画面と前記第２の表示画面は、前記筐体の同一面の左右に設けられている
　ことを特徴とする請求項１乃至４のいずれかに記載の画像印刷装置。
　【請求項６】前記第１の受付手段と前記第２の受付手段が、前記第１の落書き対象画像および前記第２の落書き対象画像の同一位置に落書き入力を受け付けた場合、前記表示手段は、利用者が意図していない図形を表示させる
　ことを特徴とする請求項１乃至５のいずれかに記載の画像印刷装置。
　【請求項７】前記表示手段は、前記選択手段により前記落書き対象画像の一覧の中から前記落書き対象画像が選択された場合、前記第１の表示画面または前記第２の表示画面に表示させる前記落書き対象画像を変更する
　ことを特徴とする請求項１乃至６のいずれかに記載の画像印刷装置。
　【請求項８】被写体を撮影する撮影手段と、
　前記撮影手段により撮影された前記被写体の画像を表示する、同一筐体に設けられた第１の表示画面と第２の表示画面から構成される表示手段と
　を備える画像印刷装置の画像印刷方法において、
　前記被写体の複数の画像のうちの、落書きの対象となる落書き対象画像の一覧の前記表示手段への表示、並びに前記落書き対象画像の一覧から選択された第１の落書き対象画像および第２の落書き対象画像の前記表示手段への表示を制御する第１の表示制御ステップと、
　前記第１の表示制御ステップの処理により前記表示手段への表示が制御された前記落書き対象画像の一覧の中から、前記第１の表示画面に表示させる前記第１の落書き対象画像および前記第２の表示画面に表示させる前記第２の落書き対象画像を選択する選択ステップと、
　前記第１の表示画面に表示された前記第１の落書き対象画像に対して入力された落書き入力を第１の受付手段により受け付け、前記第２の表示画面に表示された前記第２の落書き対象画像に対して入力された落書き入力を第２の受付手段により受け付ける受付ステップと、
　前記受付ステップの処理により前記第１の落書き対象画像に対して入力が受け付けられた前記落書き入力に基づいて、前記第１の落書き対象画像に落書きし、前記第２の落書き対象画像に対して入力が受け付けられた前記落書き入力に基づいて、前記第２の落書き対象画像に落書きする落書きステップと、
　前記落書きステップの処理により落書きされた前記落書き対象画像をシートに印刷する印刷ステップと
　を含み、
　前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像
に落書きし、前記第１の落書き対象画像に対して受け付けられた前記落書き入力に基づいて、前記第１の落書き対象画像にされた落書きを前記第２の落書き対象画像に反映させて、
に落書きし、前記第２の落書き対象画像に対して受け付けられた前記落書き入力に基づいて、前記第２の落書き対象画像にされた落書きを前記第１の落書き対象画像に反映させて、
　前記第１の表示制御ステップの処理では、前記落書きステップの処理により落書きされた前記第１の落書き対象画像の前記第１の表示画面への表示を制御し、前記落書きステップの処理により落書きされた前記第２の落書き対象画像の前記第２の表示画面への表示を制御する
　ことを特徴とする画像印刷方法。
　【請求項９】前記撮影ステップの処理により撮影された前記被写体の複数の画像を記憶する記憶ステップをさらに含み、
　前記選択ステップの処理では、前記記憶ステップの処理により記憶されている前記複数の画像の中から、前記第１の表示制御ステップの処理により表示が制御される前記第１の落書き対象画像および前記第２の落書き対象画像を選択する
　ことを特徴とする請求項８に記載の画像印刷方法。
　【請求項１０】前記第１の受付手段および前記第２の受付手段は、前記落書きを消去する操作をさらに受け付け、
　前記落書きステップの処理では、前記落書きを消去する前記操作に従って、前記落書きを消去する
　ことを特徴とする請求項８または９に記載の画像印刷方法。
　【請求項１１】前記シートの分割数を選択するための分割数選択画面の表示を制御する第２の表示制御ステップをさらに含む
　ことを特徴とする請求項８乃至１０のいずれかに記載の画像印刷方法。
　【請求項１２】前記第１の受付手段と前記第２の受付手段が、前記第１の落書き対象画像および前記第２の落書き対象画像の同一位置に落書き入力を受け付けた場合、前記第１の表示制御ステップの処理では、利用者が意図していない図形を表示させる
　ことを特徴とする請求項８乃至１１のいずれかに記載の画像印刷装置。
　【請求項１３】前記第１の表示制御ステップの処理では、前記選択ステップの処理により前記落書き対象画像の一覧の中から前記落書き対象画像が選択された場合、前記第１の表示画面または前記第２の表示画面に表示させる前記落書き対象画像を変更する
　ことを特徴とする請求項８乃至１２のいずれかに記載の画像印刷方法。
　【請求項１４】被写体を撮影する撮影手段と、
　前記撮影手段により撮影された前記被写体の画像を表示する、同一筐体に設けられた第１の表示画面と第２の表示画面から構成される表示手段と
　を備える画像印刷装置を制御するコンピュータに、
　前記被写体の複数の画像のうちの、落書きの対象となる落書き対象画像の一覧の前記表示手段への表示、並びに前記落書き対象画像の一覧から選択された第１の落書き対象画像および第２の落書き対象画像の前記表示手段への表示を制御する表示制御ステップと、
　前記表示制御ステップの処理により前記表示手段への表示が制御された前記落書き対象画像の一覧の中から、前記第１の表示画面に表示させる前記第１の落書き対象画像および前記第２の表示画面に表示させる前記第２の落書き対象画像を選択する選択ステップと、
　前記第１の表示画面に表示された前記第１の落書き対象画像に対して入力された落書き入力を第１の受付手段により受け付け、前記第２の表示画面に表示された前記第２の落書き対象画像に対して入力された落書き入力を第２の受付手段により受け付ける受付ステップと、
　前記受付ステップの処理により前記第１の落書き対象画像に対して入力が受け付けられた前記落書き入力に基づいて、前記第１の落書き対象画像に落書きし、前記第２の落書き対象画像に対して入力が受け付けられた前記落書き入力に基づいて、前記第２の落書き対象画像に落書きする落書きステップと、
　前記落書きステップの処理により落書きされた前記落書き対象画像をシートに印刷する印刷ステップと
　を実行させ、
　前記落書きステップの処理では、前記選択ステップの処理により選択された前記第１の落書き対象画像と前記第２の落書き対象画像が同一の画像であった場合、前記第１の落書き対象画像に対して受け付けられた前記落書き入力に基づいて、前記第１の落書き対象画像
に落書きし、前記第１の落書き対象画像に対して受け付けられた前記落書き入力に基づいて、前記第１の落書き対象画像にされた落書きを前記第２の落書き対象画像に反映させて、
に落書きし、前記第２の落書き対象画像に対して受け付けられた前記落書き入力に基づいて、前記２の落書き対象画像にされた落書きを前記第１の落書き対象画像に反映させて、
　前記表示制御ステップの処理では、前記落書きステップの処理により落書きされた前記第１の落書き対象画像の前記第１の表示画面への表示を制御し、前記落書きステップの処理により落書きされた前記第２の落書き対象画像の前記第２の表示画面への表示を制御する
　ことを特徴とするプログラム。
【発明の詳細な説明】
　【０００１】
　【発明の属する技術分野】
　本発明は、画像印刷装置および方法、印刷媒体、並びにプログラムに関し、特に、複数の利用者が異なる画像編集入力を分担して、より快適に画像を印刷できるようにする画像印刷装置および方法、印刷媒体、並びにプログラムに関する。
　【０００２】
　【従来の技術】
　従来、利用者の画像を撮影し、これを予め用意された背景画像と合成してシール紙などに印刷して出力する画像印刷装置（例えば、プリント倶楽部（商標））が知られている。
　【０００３】
　例えば、特開２０００−６９４０４号公報には、このような画像印刷装置において、撮影し、表示部に表示されている画像上に付属のペンで、文字、図形などを書き込むことができるようにすることが提案されている。この場合、利用者は、自分の撮影画像上に任意の文字、マークなどを書き込んでプリント画像を作成することができる。
　【０００４】
　【発明が解決しようとする課題】
　しかしながら、上述した公報に記載されている画像印刷装置は、画像の表示部が１つであるため、多くの利用者が撮影画像を迅速に確認することが困難である課題があった。
　【０００５】
　また、任意の文字、マークなどをタッチパネル上に書き込む入力ペンが複数設けられているのに対して、入力部となるタッチパネルが１つしかないため、一方の利用者が書き込みを行っている近傍のエリアに他方の利用者が書き込みを行うことが困難となり、結局、多数の利用者が短い時間内に、多くの文字、図形などを書き込んで楽しむことが困難である課題があった。
　【０００６】
　本発明はこのような状況に鑑みてなされたものであり、多くの利用者が、編集入力を迅速かつ効率的に入力することができるようにするものである。
　【０００７】
　【課題を解決するための手段】
　本発明の画像印刷装置は、被写体を撮影する撮影手段と、撮影手段により撮影された被写体の複数の画像のうちの、落書きの対象となる落書き対象画像の一覧を表示するとともに、落書き対象画像の一覧から選択された第１の落書き対象画像および第２の落書き対象画像を表示する、同一筐体に設けられた第１の表示画面と第２の表示画面から構成される表示手段と、表示手段により表示された落書き対象画像の一覧の中から、第１の表示画面に表示させる第１の落書き対象画像および第２の表示画面に表示させる第２の落書き対象画像を選択する選択手段と、第１の表示画面に表示された第１の落書き対象画像に対して入力された落書き入力を受け付ける第１の受付手段と、第２の表示画面に表示された第２の落書き対象画像に対して入力された落書き入力を受け付ける第２の受付手段と、第１の受付手段により第１の落書き対象画像に対して入力が受け付けられた落書き入力に基づいて、第１の落書き対象画像に落書きし、第２の受付手段により第２の落書き対象画像に対して入力が受け付けられた落書き入力に基づいて、第２の落書き対象画像に落書きする落書き手段と、落書き手段により落書きされた落書き対象画像をシートに印刷する印刷手段とを備え、落書き手段は、選択手段により選択された第１の落書き対象画像と第２の落書き対象画像が同一の画像であった場合、第１の落書き対象画像に対して受け付けられた落書き入力に基づいて、第１の落書き対象画像
に落書きし、第１の落書き対象画像に対して受け付けられた落書き入力に基づいて、第１の落書き対象画像にされた落書きを第２の落書き対象画像に反映させて、
に落書きし、第２の落書き対象画像に対して受け付けられた落書き入力に基づいて、第２の落書き対象画像にされた落書きを第１の落書き対象画像に反映させて、
　【０００８】
　撮影手段は、例えば、いわゆるディジタルカメラなどの撮影装置により、表示手段は、例えば、ＬＣＤ（Ｌｉｑｕｉｄ　Ｃｒｙｓｔａｌ　Ｄｉｓｐｌａｙ），ＣＲＴ（Ｃａｔｈｏｄｅ　Ｒａｙ　Ｔｕｂｅ）などにより、選択手段は、例えば、画像印刷装置の動作を制御するＣＰＵ、表示プロセッサ、タッチペン、およびタッチパネルにより、受付手段は、例えば、画像印刷装置の動作を制御するＣＰＵ、表示プロセッサ、およびタッチパネルにより、編集手段は、例えば、画像印刷装置の動作を制御するＣＰＵにより、印刷手段は、例えば、プリンタにより、それぞれ構成される。
　【０００９】
　【００１０】
　【００１１】
　【００１２】
　撮影手段により撮影された被写体の複数の画像を記憶する記憶手段をさらに備え、選択手段は、記憶手段により記憶されている複数の画像の中から、表示手段により表示される第１の落書き対象画像および第２の落書き対象画像を選択するようにすることができる。
　【００１３】
　記憶手段は、例えば、撮影画像を記憶する表示プロセッサのフレームバッファなどにより構成される。
　【００１４】
　前記第１の受付手段および前記第２の受付手段には、前記落書きを消去する操作をさらに受け付けるようにさせ、前記落書き手段には、前記落書きを消去する前記操作に従って、前記落書きを消去するようにさせることができる。
　前記表示手段には、前記シートの分割数を選択するための分割数選択画面をさらに表示するようにさせることができる。
　前記第１の表示画面と前記第２の表示画面は、前記筐体の同一面の左右に設けられているようにすることができる。
　前記第１の受付手段と前記第２の受付手段が、前記第１の落書き対象画像および前記第２の落書き対象画像の同一位置に落書き入力を受け付けた場合、前記表示手段には、利用者が意図していない図形を表示させるようにさせることができる。
　前記表示手段には、前記選択手段により前記落書き対象画像の一覧の中から前記落書き対象画像が選択された場合、前記第１の表示画面または前記第２の表示画面に表示させる前記落書き対象画像を変更するようにさせることができる。
　【００１５】
　本発明の画像印刷方法は、被写体の複数の画像のうちの、落書きの対象となる落書き対象画像の一覧の表示手段への表示、並びに落書き対象画像の一覧から選択された第１の落書き対象画像および第２の落書き対象画像の表示手段への表示を制御する第１の表示制御ステップと、第１の表示制御ステップの処理により表示手段への表示が制御された落書き対象画像の一覧の中から、第１の表示画面に表示させる第１の落書き対象画像および第２の表示画面に表示させる第２の落書き対象画像を選択する選択ステップと、第１の表示画面に表示された第１の落書き対象画像に対して入力された落書き入力を第１の受付手段により受け付け、第２の表示画面に表示された第２の落書き対象画像に対して入力された落書き入力を第２の受付手段により受け付ける受付ステップと、受付ステップの処理により第１の落書き対象画像に対して入力が受け付けられた落書き入力に基づいて、第１の落書き対象画像に落書きし、第２の落書き対象画像に対して入力が受け付けられた落書き入力に基づいて、第２の落書き対象画像に落書きする落書きステップと、落書きステップの処理により落書きされた落書き対象画像をシートに印刷する印刷ステップとを含み、落書きステップの処理では、選択ステップの処理により選択された第１の落書き対象画像と第２の落書き対象画像が同一の画像であった場合、第１の落書き対象画像に対して受け付けられた落書き入力に基づいて、第１の落書き対象画像
に落書きし、第１の落書き対象画像に対して受け付けられた落書き入力に基づいて、第１の落書き対象画像にされた落書きを第２の落書き対象画像に反映させて、
に落書きし、第２の落書き対象画像に対して受け付けられた落書き入力に基づいて、第２の落書き対象画像にされた落書きを第１の落書き対象画像に反映させて、
　前記撮影ステップの処理により撮影された前記被写体の複数の画像を記憶する記憶ステップをさらに含むようにさせ、前記選択ステップの処理では、前記記憶ステップの処理により記憶されている前記複数の画像の中から、前記第１の表示制御ステップの処理により表示が制御される前記第１の落書き対象画像および前記第２の落書き対象画像を選択するようにさせることができる。
　前記第１の受付手段および前記第２の受付手段は、前記落書きを消去する操作をさらに受け付け、前記落書きステップの処理では、前記落書きを消去する前記操作に従って、前記落書きを消去するようにさせることができる。
　前記シートの分割数を選択するための分割数選択画面の表示を制御する第２の表示制御ステップをさらに含むようにすることができる。
　前記第１の受付手段と前記第２の受付手段が、前記第１の落書き対象画像および前記第２の落書き対象画像の同一位置に落書き入力を受け付けた場合、前記第１の表示制御ステップの処理では、利用者が意図していない図形を表示させるようにさせることができる。
　前記第１の表示制御ステップの処理では、前記選択ステップの処理により前記落書き対象画像の一覧の中から前記落書き対象画像が選択された場合、前記第１の表示画面または前記第２の表示画面に表示させる前記落書き対象画像を変更するようにさせることができる。
　【００１６】
　本発明のプログラムは、被写体を撮影する撮影手段と、撮影手段により撮影された被写体の画像を表示する、同一筐体に設けられた第１の表示画面と第２の表示画面から構成される表示手段とを備える画像印刷装置を制御するコンピュータに、被写体の複数の画像のうちの、落書きの対象となる落書き対象画像の一覧の表示手段への表示、並びに落書き対象画像の一覧から選択された第１の落書き対象画像および第２の落書き対象画像の表示手段への表示を制御する表示制御ステップと、表示制御ステップの処理により表示手段への表示が制御された落書き対象画像の一覧の中から、第１の表示画面に表示させる第１の落書き対象画像および第２の表示画面に表示させる第２の落書き対象画像を選択する選択ステップと、第１の表示画面に表示された第１の落書き対象画像に対して入力された落書き入力を第１の受付手段により受け付け、第２の表示画面に表示された第２の落書き対象画像に対して入力された落書き入力を第２の受付手段により受け付ける受付ステップと、受付ステップの処理により第１の落書き対象画像に対して入力が受け付けられた落書き入力に基づいて、第１の落書き対象画像に落書きし、第２の落書き対象画像に対して入力が受け付けられた落書き入力に基づいて、第２の落書き対象画像に落書きする落書きステップと、落書きステップの処理により落書きされた落書き対象画像をシートに印刷する印刷ステップとを実行させ、落書きステップの処理では、選択ステップの処理により選択された第１の落書き対象画像と第２の落書き対象画像が同一の画像であった場合、第１の落書き対象画像に対して受け付けられた落書き入力に基づいて、第１の落書き対象画像
に落書きし、第１の落書き対象画像に対して受け付けられた落書き入力に基づいて、第１の落書き対象画像にされた落書きを第２の落書き対象画像に反映させて、
に落書きし、第２の落書き対象画像に対して受け付けられた落書き入力に基づいて、第２の落書き対象画像にされた落書きを第１の落書き対象画像に反映させて、
　【００１７】
　本発明の画像印刷装置および方法、並びにプログラムにおいては、表示された落書き対象画像の一覧の中から、落書きの対象となる第１の落書き対象画像および第２の落書き対象画像が選択され、第１の表示画面に表示された第１の落書き対象画像に対して入力された落書き入力が第１の受付手段により受け付けられ、第２の表示画面に表示された第２の落書き対象画像に対して入力された落書き入力が第２の受付手段により受け付けられ、受け付けられた落書き入力に基づいて落書き対象画像に落書きされ、落書きされた落書き対象画像が印刷される。また、第１の落書き対象画像と第２の落書き対象画像が同一の画像であった場合、第１の落書き対象画像に対して受け付けられた落書き入力に基づいて、第１の落書き対象画像
に落書きし、第１の落書き対象画像に対して受け付けられた落書き入力に基づいて、第１の落書き対象画像にされた落書きを第２の落書き対象画像に反映させて、
に落書きし、第２の落書き対象画像に対して受け付けられた落書き入力に基づいて、第２の落書き対象画像にされた落書きを第１の落書き対象画像に反映させて、
　【００１８】
　本発明の画像印刷装置および方法、並びにプログラムによれば、表示された落書き対象画像の一覧の中から、落書きの対象となる第１の落書き対象画像および第２の落書き対象画像を選択し、第１の表示画面に表示された第１の落書き対象画像に対して入力された落書き入力を第１の受付手段により受け付け、第２の表示画面に表示された第２の落書き対象画像に対して入力された編集入力を第２の受付手段により受け付け、受け付けられた落書き入力に基づいて落書き対象画像に落書きし、落書きされた落書き対象画像を印刷する。また、第１の落書き対象画像と第２の落書き対象画像が同一の画像であった場合、第１の落書き対象画像に対して受け付けられた落書き入力に基づいて、第１の落書き対象画像
に落書きし、第１の落書き対象画像に対して受け付けられた落書き入力に基づいて、第１の落書き対象画像にされた落書きを第２の落書き対象画像に反映させて、
に落書きし、第２の落書き対象画像に対して受け付けられた落書き入力に基づいて、第２の落書き対象画像にされた落書きを第１の落書き対象画像に反映させて、
　【００１９】
　【発明の実施の形態】
　図１は、本発明を適用した画像印刷装置の外観の構成を示している。画像印刷装置１の筐体１０の前面の左右には、上方から下方へ向かってスピーカ１１−１およびスピーカ１１−２、照明装置１２−１および照明装置１２−２、操作パネル１３−１および操作パネル１３−２、操作パネル１３−１および操作パネル１３−２のそれぞれに表示された画像に対して、編集図形、文字などを入力するタッチペン１４−１およびタッチペン１４−２が設けられる。なお、以下において、スピーカ１１−１およびスピーカ１１−２のそれぞれを個々に区別する必要がない場合、まとめてスピーカ１１と、照明装置１２−１および照明装置１２−２のそれぞれを個々に区別する必要がない場合、まとめて照明装置１２と、操作パネル１３−１および操作パネル１３−２のそれぞれを個々に区別する必要がない場合、まとめて操作パネル１３と、タッチペン１４−１およびタッチペン１４−２のそれぞれを個々に区別する必要がない場合、まとめてタッチペン１４と、それぞれ称する。
　【００２０】
　筐体１０のほぼ垂直な面１０Ａに配置されたスピーカ１１は、利用者に対して、硬貨を投入してからの撮影手順の進行を案内するガイダンスや、利用者が操作パネル１３に表示されている自分自身の撮影画像に対して、後述する編集を行う際のガイダンスなどを出力する。
　【００２１】
　筐体１０のほぼ垂直な（若干上方を向いている）面１０Ｂに配置された照明装置１２は、撮影の際のフラッシュとして機能するとともに、筐体１０および利用者を囲む図示せぬ背景幕により外光が遮断されているため、撮影前の状態においても利用者を照明する。
　【００２２】
　照明装置１２−１と照明装置１２−２の間には、利用者を撮影するためのＣＣＤ（Ｃｈａｒｇｅ　Ｃｏｕｐｌｅｄ　Ｄｅｖｉｃｅ）カメラ１５が設けられ、ＣＣＤカメラ１５が撮影している取り込み画像は、ＣＣＤカメラ１５の下方に設けられている取り込み画像表示部１６に表示される。ＣＣＤカメラ１５と取り込み画像表示部１６により撮影装置１７が構成され、利用者は、足リモートコントローラ（以下、足リモコン２１と称する）を操作して駆動装置１８の駆動可能範囲内で、撮影装置１７を上下方向に移動させることができる。
　【００２３】
　筐体１０のほぼ水平（若干上方を向いている）な面１０Ｃに配置されている操作パネル１３は、液晶ディスプレイまたはＣＲＴ（Ｃａｔｈｏｄｅ−Ｒａｙ　Ｔｕｄｅ）より構成されるモニタと、その上部に積層されるタッチパネルから構成される。操作パネル１３の近傍には、それぞれタッチペン１４が設けられ、ＣＣＤカメラ１５により撮影された画像が操作パネル１３に表示されるため、利用者は、タッチペン１４を利用して撮影画像に後述する落書き処理を施すことができる。また、操作パネル１３には、撮影画像の他に、画像プリントの作成および印刷処理の進行段階に応じて種々の選択ボタン、メッセージなどが表示され、操作パネル１３に表示された選択ボタンをタッチペン１４を利用して選択することにより撮影手順が進行される。
　【００２４】
　操作パネル１３−１の近傍にタッチペン１４−１が、また、操作パネル１３−２の近傍にはタッチペン１４−２が、それぞれ設けられており、操作パネル１３−１および操作パネル１３−２のそれぞれに表示された撮影画像に、２人の利用者が同時に落書き処理などを入力することができる。なお、操作パネル１３−１と操作パネル１３−２に、異なる撮影画像をそれぞれ表示させることができ、利用者は、別々の撮影画像に対して落書き処理などを入力することもできる。
　【００２５】
　操作パネル１３の下方の筐体１０のほぼ垂直な面１０Ｄには、硬貨投入口１９が設けられている。利用者が所定の代金を硬貨投入口１９に投入すると、撮影手順が開始される。
　【００２６】
　筐体１０の右側面には、シール取出口２０が設けられており、撮影し、画像編集した撮影画像が、所定数に分割されたシールに印刷されて排出される。
　【００２７】
　筐体１０の前方には、筐体１０の幅とほぼ同一の幅の２段の階段２２が設置されている。利用者は、撮影する場合、階段２２を利用して、様々なポーズを取って、自分自身を撮影することができる。
　【００２８】
　図２は、画像印刷装置１の構成例を示すブロック図である。なお、図１と対応する部分には、同一の符号を付してある。
　【００２９】
　ＣＰＵ（Ｃｅｎｔｏｒａｌ　Ｐｒｏｃｅｓｓｉｎｇ　Ｕｎｉｔ）３１は、ＲＯＭ（Ｒｅａｄ　Ｏｎｌｙ　Ｍｅｍｏｒｙ）３２に記憶されているプログラムに従って、全体の動作、処理を制御する。すなわち、各処理部は、バス３０を介してＣＰＵ３１に接続され、制御される。
　【００３０】
　ＲＡＭ（Ｒａｎｄｏｍ　Ａｃｃｅｓｓ　Ｍｅｍｏｒｙ）３３は、ＣＰＵ３１の作業用データを記憶するとともに、各処理部において利用者が行った選択、指示などを一時的に記憶する。
　【００３１】
　ドライバ３４は、図示せぬＣＤ−ＲＯＭ（Ｃｏｍｐａｃｔ　Ｄｉｓｋ−Ｒｅａｄ　Ｏｎｌｙ　Ｍｅｍｏｒｙ）などの記録媒体を駆動し、記録情報を読み出す。ＣＤ−ＲＯＭなどの記録媒体には、撮影処理、落書き処理などを含む種々の処理を行うためのプログラムが記録されており、それらのプログラムは実行時に、ＲＡＭ３３に転送されて実行される。また、ＣＤ−ＲＯＭには、音声のガイダンスデータが記録されており、音声出力装置４０−１は、ＣＰＵ３１の指示に基づいてＣＤ−ＲＯＭに記録されているガイダンスデータを読み出してスピーカ１１−１に出力する。スピーカ１１−１が利用者に対して出力するガイダンスには、操作方法や、撮影直前のカウントダウンなどがある。スピーカ１１−２にも、スピーカ１１−１の出力処理と同様の処理が実行されて、メインの操作パネル１３−１からの入力に応じて音声ガイダンスが出力される。なお、音声出力装置４０−１と、音声出力装置４０−２は、それぞれ操作パネル１３−１と操作パネル１３−２からの入力に対応して、異なる音声ガイダンスを出力させるようにすることもできる。
　【００３２】
　硬貨処理部３５は、硬貨投入口１９から投入された硬貨の金額を検出し、所定の代金が投入されたと検出した場合、その旨をＣＰＵ３１に通知する。
　【００３３】
　プリンタ３６は、画像シールを作成する部分であり、ＣＣＤカメラ１５により撮影され、後述の落書き処理などが施された後の画像（プリントすべきとして確定した画像、以下、プリント画像と称する）をシール紙などに印刷し、出力する。プリンタ３６は、利用者が選択したプリント画像を、指定された分割単位（後述する図１２参照）で剥がせるようなシールシート上に印刷する。なお、利用者は、１枚のシールシート上に、数種類のプリント画像を選択して印刷させることができる。
　【００３４】
　表示プロセッサ３７−１は、ＣＰＵ３１からの指示に基づいて撮影手順の案内画面をモニタ３９−１に表示させる。表示プロセッサ３７−１は、内部にＣＣＤカメラ１５の撮影画像を記憶するためのフレームバッファを有する。フレームバッファは、デュアルポートメモリにより構成され、それぞれの領域が一枚分の撮影画像を記憶できる２つの領域に分けて使用される。フレームバッファの第１の領域には、ＣＣＤカメラ１５からの取り込み画像が入力され、撮影後は、撮影した画像（利用者がフレーム画像を選択した場合には、撮影画像とフレーム画像）が記憶される。
　【００３５】
　一方、第２の領域は、落書き処理や明るさ調整などの編集処理において使用される記憶領域であり、撮影が終了した時点では、第１の領域と同一の撮影画像が記憶される。すなわち、編集処理において、利用者がタッチペン１４−１を利用して落書きを入力すると、その入力データが第２の領域内に書き込まれる。なお、利用者は、消しゴム処理を指定することにより、１度付加した落書きを消去し、元の画像に戻すことができる。その場合、表示プロセッサ３７−１は、その消しゴムで指定された部分の画像データを第１の領域から読み出し、第２の領域に書き込むことにより、利用者が消しゴムで指定した部分を、落書き処理を行う前の撮影画像にもどす。
　【００３６】
　操作パネル１３−１は、モニタ３９−１上に、透明なタッチパネル３８−１が積層されて構成されており、モニタ３９−１には、上記の表示プロセッサ３７−１のフレームバッファの第２の領域に記憶されたデータが表示される。したがって、利用者が落書きなどを入力している最中は、落書きなどが施された撮影画像が、モニタ３９−１に表示される。
　【００３７】
　タッチパネル３８−１は、タッチペン１４−１からの入力を検出する。すなわち、利用者は、モニタ３９−１に表示された選択ボタンをタッチペン１４−１を用いて選択したり、モニタ３９−１に表示された撮影画像に対して、その上に落書きなどを行う。タッチペン１４−１による入力データは、タッチパネル３８−１により検出され、入力データとして表示プロセッサ３７−１のフレームバッファの第２の領域に書き込まれる。
　【００３８】
　表示プロセッサ３７−２、タッチパネル３８−２、およびモニタ３９−２の構成は、それぞれ、表示プロセッサ３７−１、タッチパネル３８−１、およびモニタ３９−１と同様の構成であるため、その構成の説明は、省略する。以下、表示プロセッサ３７−１と表示プロセッサ３７−２を個々に区別する必要がない場合、まとめて表示プロセッサ３７と、タッチパネル３８−１とタッチパネル３８−２を個々に区別する必要がない場合、まとめてタッチパネル３８と、モニタ３９−１とモニタ３９−２のそれぞれを個々に区別する必要がない場合、まとめてモニタ３９と、それぞれ称する。
　【００３９】
　次に、図３および図４のフローチャートを参照して、画像印刷装置１の印刷処理について説明する。また、各ステップの処理を説明する際、必要に応じて、図５乃至図１３に示す操作パネル１３の表示例を参照する。なお、図５において、例えば、左側に示す図５（Ａ）を操作パネル１３−１の表示例とし、右側に示す図５（Ｂ）を操作パネル１３−１の表示例とする。図６乃至図１３の表示例においても、図５の構成と同様とする。また、図に示されている各種ボタンを説明する場合、同一機能を有するボタンには、同一符号を付してあり、説明が重複するものについては、その説明を適宜省略する。
　【００４０】
　ステップＳ１において、表示プロセッサ３７は、ＣＰＵ３１からの指示に基づいて操作パネル１３にデモ画面を表示する。操作パネル１３−１のモニタ３９−１には、例えば、図５（Ａ）に示されるデモ画面が表示され、操作パネル１３−２のモニタ３９−２には、例えば、図５（Ｂ）に示されるようなデモ画面が表示される。デモ画面のデータは、図示せぬＣＤ−ＲＯＭからドライバ３４により読み込まれ、バス３０を介して表示プロセッサ３７に転送される。
　【００４１】
　ステップＳ２において、ＣＰＵ３１は、硬貨処理部３５からの通知に基づいて、代金が投入されたか否かを判定する。ＣＰＵ３１は、代金が硬貨投入口１９に投入されたと判定するまで表示プロセッサ３７に対して、デモ画面（図５）を表示することを指示し、代金が投入されたと判定した場合、処理はステップＳ３に進む。
　【００４２】
　ステップＳ３において、表示プロセッサ３７は、ＣＰＵ３１からの指示に基づいて、操作パネル１３に撮影手順の説明画面を表示する。操作パネル１３−１には、例えば、図６（Ａ）および図６（Ｂ）に示されるような説明画面が表示され、操作パネル１３−２には、例えば、図６（Ｃ）に示されるような説明画面が表示される。図６（Ｃ）に示される操作パネル１３−２は、ＣＣＤカメラ１５がリアルタイムで撮影している取り込み画像が表示され、図６（Ａ）および図６（Ｂ）に示される操作パネル１３−１には、操作パネル１３−２に表示されているＣＣＤカメラ１５の取り込み画像の設定方法を説明する画面が表示されている。
　【００４３】
　図６（Ａ）の表示例においては、取り込み画像を横長に表示するか、または縦長に表示するかの表示切換ボタン５０、ＣＣＤカメラ１５のズーム機能を調整するズーム調整ボタン５１、およびＣＣＤカメラ１５が取り込む光量を調整する明るさ調整ボタン５３が表示されている。また、足リモコン２１を操作して、ＣＣＤカメラ１５を含む撮影装置１７を上下方向に移動できることが表示されている。利用者は、この説明画面に応じて、タッチペン１４−１を利用して操作パネル１３−１に表示されている上記ボタンを操作し、取り込み画像を設定する。図６（Ｂ）においては、アップ撮影を説明するデモ画面と、その明るさを調整する明るさ調整ボタン５３が表示されている。
　【００４４】
　ＣＣＤカメラ１５により撮影されている（取り込まれている）取り込み画像は、バス３０を介して表示プロセッサ３７に転送されるとともに、取り込み画像表示部１６に転送されて、表示される。すなわち、ここに動画像が表示される。また、図６（Ａ）および図６（Ｂ）に表示される説明画面にあわせて、音声出力装置４０は、スピーカ１１から音声ガイダンスを出力する。
　【００４５】
　ステップＳ４において、表示プロセッサ３７は、ＣＰＵ３１からの指示に基づいて操作パネル１３に取り込み画像を表示する。操作パネル１３−１には、例えば、図７（Ａ）に示すように、ＣＣＤカメラ１５が撮影している取り込み画面が表示される。既に撮影した撮影画像のうち、利用者が後述するキープボタンを操作してキープ画像を選択している場合、操作パネル１３−２には、図７（Ｂ）に示すように、キープ画像が表示される。なお、利用者は、１枚のシールシートに最大４種類の撮影画像をプリントできるので、最大４種類の画像をキープすることができる。
　【００４６】
　利用者は、操作パネル１３−２に表示されている撮影画像からタッチペン１４−２で指定することにより、既に撮影した画像を削除することができる。また、操作パネル１３−１および、操作パネル１３−２のそれぞれには、撮影開始ボタン６１が表示されるとともに、撮影までの残り時間を示す残り時間メータ６２が表示されている。
　【００４７】
　ステップＳ５において、ＣＰＵ３１は、タッチパネル３８からの通知に基づいて、撮影開始ボタン６１が操作されたか否かを判定する。ＣＰＵ３１は、撮影開始ボタン６１が操作されたと判定するまで取り込み画像を表示させて待機し、いずれかのタッチパネル３８の入力から撮影開始ボタン６１が操作されたと判定した場合、処理はステップＳ６に進む。
　【００４８】
　ステップＳ６において、表示プロセッサ３７は、撮影前のカウントダウン画面を表示する。操作パネル１３−１には、例えば、図８（Ａ）のようなカウントダウン画面が表示される。表示プロセッサ３７−１は、ＣＰＵ３１からの指示に基づいて、画面左側に表示されているカウントダウンインジゲータ７１の１番上の表示から点灯を開始する。ＣＣＤカメラ１５は、カウントダウンインジゲータ７１の１番下の表示が点灯されたとき、撮影を実行する。操作パネル１３−２にも、カウントダウンインジゲータ７１が表示されており、表示プロセッサ３７−２は、表示プロセッサ３７−１の処理と同様に点灯させる。また、カウントダウンインジゲータ７１の点灯に合わせて、音声出力装置４０は、スピーカ１１から音声ガイダンスによるカウントダウンを出力する。
　【００４９】
　また、ＣＣＤカメラ１５の取り込み画像は、ＣＣＤカメラ１５の下方に設けられている取り込み画像表示部１６にも表示される。これにより、利用者は、操作パネル１３に視線を向けることなく、ＣＣＤカメラ１５に視線を合わせて撮影することができる。
　【００５０】
　ステップＳ７において、表示プロセッサ３７は、ＣＰＵ３１からの指示に基づいて、操作パネル１３に印刷写真選択画面を表示する。操作パネル１３−１には、図９（Ａ）に示すように、それまでに撮影した撮影画像のうち、プリントする（キープする）画像を選択するために表示され、利用者は、タッチペン１４−１でカーソルを移動して、キープ画像（印刷する画像）を選択する。また、操作パネル１３−２には、図９（Ｂ）に示すように、操作パネル１３−１に表示されている撮影画像から、選択された画像が拡大して表示される。利用者は、操作パネル１３−２に表示されているプリントボタン９２を操作し、撮影画像をプリント（キープ）するか、削除ボタン９３を操作して撮影画像を削除するかを選択することができる。ＣＰＵ３１は、タッチパネル３８−２からの通知に基づいて、利用者がプリントボタン９２を操作したと判定した場合、処理はステップＳ８に進む。
　【００５１】
　ステップＳ８において、表示プロセッサ３７は、ＣＰＵ３１からの指示に基づいて、操作パネル１３に明るさ調整画面を表示する。操作パネル１３−１には、図１０（Ａ）に示すように、ステップＳ７の処理で印刷することが選択された撮影画像が表示され、その画像の明るさを調整するとき操作される明るさ調整ボタン５３、シールに加工しないとき操作される写真風ボタン１０１、シールシートにプリントするとき操作されるシール風ボタン１０２、横方向に表示されているキープ画像を縦方向に表示を変更するとき操作される表示切換ボタン５０、表示されている画像を削除して再び撮影するとき操作されるとりなおしボタン１０３、編集対象の画像として残しておくとき操作されるキープボタン１０４が表示されている。
　【００５２】
　操作パネル１３−２には、図１０（Ｂ）に示すように、利用者がキープボタン１０４を操作することにより、編集対象の画像として選択したキープ画像が表示される。図１０（Ｂ）の表示例においては、キープ画像として、既に３枚選択されているので、残り撮影可能枚数ウインドウ１１０に「残り１枚」と表示されている。また、操作パネル１３−２には、削除ボタン９３が表示されており、利用者は、これを操作して、選択したキープ画像を削除することができる。さらに、操作パネル１３−２には、撮影終了ボタン１１１が表示されており、利用者は、キープ画像を４枚選択する前でも、次に進むことができる。操作パネル１３−１および操作パネル１３−２には、残り時間メータ６２に明るさ調整の制限時間が表示されている。
　【００５３】
　ステップＳ９において、ＣＰＵ３１は、明るさ調整画面（図１０（Ａ））でとりなおしボタン１０３が操作されたか否かを判定する。ＣＰＵ３１は、タッチパネル３８−１からの通知に基づいてとりなおしボタン１０３が操作されたと判定した場合、ステップＳ４に戻り、それ以降の処理が繰り返し実行される。
　【００５４】
　ステップＳ９において、ＣＰＵ３１は、明るさ調整画面（図１０（Ａ））でとりなおしボタン１０３が操作されていないと判定した場合、ステップＳ１０の処理に進む。
　【００５５】
　ステップＳ１０において、ＣＰＵ３１は、明るさ調整画面（図１０（Ａ））でキープボタン１０４が操作されたか否かを判定する。ＣＰＵ３１は、キープボタン１０４が操作されたと判定した場合、ステップＳ１１において、キープすることが選択された撮影画像をキープ画像に追加する。
　【００５６】
　ステップＳ１２において、ＣＰＵ３１は、表示プロセッサ３７に問い合わせ、残り撮影可能枚数が０か否か（４種類のキープ画像が選択されたか否か）を判定する。ＣＰＵ３１は、残り撮影可能枚数が０でない（まだ撮影可能である）と判定した場合、処理はステップＳ４に戻り、それ以降の処理が繰り返し実行される。
　【００５７】
　ＣＰＵ３１は、ステップＳ１２において、残り撮影可能枚数が０であると判定した場合、並びに、ステップＳ１０でキープボタン１０４が操作されていないと判定された場合、ステップＳ１３の処理に進む。
　【００５８】
　ステップＳ１３において、ＣＰＵ３１は、タッチパネル３８−２からの通知に基づいて、操作パネル１３−２に表示されている撮影終了ボタン１１１（図１０（Ｂ））が操作されたか否かを判定する。ＣＰＵ３１は、撮影終了ボタン１１１が操作されていないと判定した場合、ステップＳ８の処理に戻り、明るさ調整画面の表示を続ける。
　【００５９】
　ステップＳ１３において、ＣＰＵ３１は、撮影終了ボタン１１１が操作されたと判定した場合、ステップＳ１４の処理に進む。また、ＣＰＵ３１は、ステップＳ１２の処理で、残り撮影可能枚数が０と判定すると、利用者に対して撮影終了ボタンしか操作できなくするので、この場合も処理はステップＳ１４に進む。
　【００６０】
　ステップＳ１４において、表示プロセッサ３７は、ＣＰＵ３１からの指示に基づいて、操作パネル１３に落書き画面を表示する。落書き画面は、例えば、図１１（Ａ）および図１１（Ｂ）に示すように表示される。図１１の例では、操作パネル１３−１と操作パネル１３−２で、異なった落書き対象のキープ画像が選択されている。利用者は、落書き対象のキープ画像を、操作パネル１３の右側のキープ画像一覧ウインドウ１２１に表示されているキープ画像の中から、所定のキープ画像をタッチペン１４で選択することで、変更することができる。
　【００６１】
　操作パネル１３の左側には、様々な落書き処理のツールを表示させるとき操作される落書きメニューボタン１２３、実行した処理を再び繰り返すとき操作されるくりかえしボタン１２４、落書きを消去するとき操作される消しゴムボタン１２５、後に詳述する落書き可能範囲を選択するとき操作されるクロマキボタン１２６、および落書き処理を終了してプリントを開始するとき操作されるプリントボタン１２７が表示されている。また、画面上方には、落書きする文字や図形の色を選択するとき操作される色パレットボタン１２８、落書きする線の太さを設定するとき操作されるライン選択ボタン１２９が表示されている。また、落書き処理には、制限時間が設定されており、ＣＰＵ３１は、制限時間が経過したと認識した場合、強制的に次の画面を表示する。制限時間は、残り時間表示ウインドウ１２２に表示されている。
　【００６２】
　なお、落書き処理には、操作パネル１３−１と１３−２の一方から入力された落書き処理が他方の処理に反映される反映処理や、落書き可能範囲を制限する処理があるが、その処理については後述する。
　【００６３】
　ステップＳ１４の落書き処理において、ＣＰＵ３１は、プリントボタン１２７が操作されたか、または、制限時間が経過したと判定した場合、処理はステップＳ１５に進む。
　【００６４】
　ステップＳ１５において、表示プロセッサ３７は、ＣＰＵ３１からの指示に基づいて、操作パネル１３に分割数選択画面を表示する。操作パネル１３−１および操作パネル１３−２には、例えば、図１２（Ａ）および図１２（Ｂ）に示すように、「７×４」、「上半分２×２と下半分３×４の組み合わせ」、「４×２」、「２×２」の分割数選択画面が表示される。利用者は、好みの分割数（プリントサイズ）のシートをタッチペン１４で選択することができる。ＣＰＵ３１は、タッチパネル３８からの通知に基づいてプリンタ３６にプリントするシート（写真シートまたはシールシート）を指示する。
　【００６５】
　ステップＳ１６において、表示プロセッサ３７は、ＣＰＵ３１からの指示に基づいて、プリントしたシールが横から排出されることを案内する案内画面を、操作パネル１３−１および操作パネル１３−２に、例えば、図１３（Ａ）および図１３（Ｂ）に示すように表示させる。その後、処理はステップＳ１に戻る。
　【００６６】
　画像印刷装置１においては、操作パネル１３が２つ設けられているため、２人の利用者が分担して画像編集を入力することができる。そのため、例えば、図４のステップＳ１４の処理で表示される落書き画面において、複数の利用者が、１つの画像に対して、同時に落書きを入力することができる。次に、図１４および図１５のフローチャートを参照して、タッチパネル３８−１（以下、タッチパネルＡとも称する）から入力された落書きを、タッチパネル３８−２（以下、タッチパネルＢとも称する）から入力された落書きとして、または、タッチパネル３８−２から入力された落書きを、タッチパネル３８−１から入力された落書きとして反映させる反映処理について説明する。
　【００６７】
　ステップＳ３１において、ＣＰＵ３１は、タッチパネルＡから落書きが入力されたか否かを判定する。利用者がタッチペン１４−１を利用して落書きを入力した場合、ＣＰＵ３１は、落書きが入力されたと判定し、ステップＳ３２の処理に進む。
　【００６８】
　ステップＳ３２において、ＣＰＵ３１は、編集対象の画像として、モニタ３９−１（以下、モニタＡとも称する）とモニタ３９−２（以下、モニタＢとも称する）で同じキープ画像が表示されているか否かを判定する。操作パネル１３−１の利用者と操作パネル１３−２の利用者が編集対象の画像として同一のキープ画像を選択している場合、ＣＰＵ３１は、モニタＡとモニタＢで同じキープ画像が表示されていると認識し、ステップＳ３３の処理に進む。
　【００６９】
　ステップＳ３３において、ＣＰＵ３１は、タッチパネルＡから入力された落書きと、タッチパネルＢから入力された落書きが、表示プロセッサ３７−１（以下、表示プロセッサＡとも称する）と表示プロセッサ３７−２（以下、表示プロセッサＢとも称する）のフレームバッファの第２の領域に記憶されている画像の同じ位置に、同時に入力されたか否かを判定する。ＣＰＵ３１は、タッチパネルＡから入力された落書きと、タッチパネルＢから入力された落書きが同時に同じ位置に入力されたと判定した場合、ステップＳ３４の処理に進む。
　【００７０】
　ステップＳ３４において、表示プロセッサＡは、ＣＰＵ３１からの指示に基づいて、タッチパネルＡから落書きが入力された位置と同じ位置に、１個の大きな星の図形をモニタＡに表示する。また、表示プロセッサＢも、ＣＰＵ３１からの指示に基づいて、タッチパネルＢから落書きが入力された位置と同じ位置に、１個の大きな星の図形をモニタＢに表示する。
　【００７１】
　図１６は、落書き画面において、ステップＳ３４の処理で表示される操作パネル１３の表示例を示している。図１６（Ａ）は、操作パネル１３−１の表示を、図１６（Ｂ）は、操作パネル１３−２の表示をそれぞれ示している。この例においては、キープ画像の左上方にタッチパネルＡとタッチパネルＢから同時に落書きが入力されたことを示している。
　【００７２】
　ステップＳ３４において、星の図形を表示させた後、ＣＰＵ３１は、ステップＳ３１の処理に戻る。
　【００７３】
　一方、ステップＳ３３において、ＣＰＵ３１は、タッチパネルＡから入力された落書きと、タッチパネルＢから入力された落書きが、表示プロセッサＡと表示プロセッサＢのフレームバッファの第２の領域に記憶されている画像情報の同じ位置に、同時に入力されていないと判定した場合、ステップＳ３５の処理に進む。
　【００７４】
　ステップＳ３５において、ＣＰＵ３１は、タッチパネルＡから落書きが入力された位置は、既に、タッチパネルＢから落書きが入力されている位置か否かを、表示プロセッサＢのフレームバッファの第２の領域の記憶状況を確認することにより判定する。ＣＰＵ３１は、タッチパネルＡから落書きが入力された位置には、既に、タッチパネルＢから落書きが入力されていると判定した場合、ステップＳ３６の処理に進む。
　【００７５】
　ステップＳ３６において、表示プロセッサＡは、ＣＰＵ３１からの指示に基づいて、タッチパネルＡから落書きが入力された位置と同じ位置に、８個の小さな星の図形をモニタＡに表示する。また、表示プロセッサＢも、表示プロセッサＡと同じ位置に、モニタＢに星の図形を表示する。
　【００７６】
　図１７は、落書き画面において、ステップＳ３６の処理で表示される操作パネル１３の表示例を示している。図１７（Ａ）は、操作パネル１３−１の表示を、図１７（Ｂ）は、操作パネル１３−２の表示をそれぞれ示している。この例においては、キープ画像の左下方にタッチパネルＡから落書きが入力されたが、その位置には、図１７（Ｂ）に示すように、既に落書きが入力されているため、図１７（Ａ）に示すように、８個の小さな星の図形が表示される。
　【００７７】
　図１６および図１７に示すように、利用者が意図していない（入力していない）図形を表示させることにより、ゲーム性が高くなり、利用者は、楽しみながら落書きを入力することができる。なお、表示させる記号は星に限られるものではない。また、星が表示されると同時に、スピーカ１１から効果音が出力されるようにしても良い。
　【００７８】
　ステップＳ３６において、星を表示させた後、ＣＰＵ３１は、ステップＳ３１の処理に戻る。
　【００７９】
　一方、ステップＳ３５において、ＣＰＵ３１は、タッチパネルＡから落書きが入力された位置には、タッチパネルＢから落書きが入力されていないと判定した場合、ステップＳ３７の処理に進む。また、ステップＳ３２において、ＣＰＵ３１は、編集対象の画像として、モニタＡとモニタＢで同じキープ画像が表示されていないと判定した場合、ステップＳ３７の処理に進む。
　【００８０】
　ステップＳ３７において、表示プロセッサＡは、ＣＰＵ３１からの指示に基づいて、タッチパネルＡから入力された落書きを処理する。すなわち、タッチパネルＡから入力された落書きを、フレームバッファの第２の領域に記憶させる。
　【００８１】
　ステップＳ３８において、表示プロセッサＡは、ＣＰＵ３１からの指示に基づいて、ステップＳ３７の処理でフレームバッファの第２の領域に記憶させたキープ画像（落書きが施された画像）をモニタＡに表示させる。
　【００８２】
　ステップＳ３９において、ＣＰＵ３１は、タッチパネルＡから入力され、ステップＳ３８の処理でモニタＡに表示させた落書きを、モニタＢにも反映させる（表示させる）必要があるか否かを判定する。すなわち、ＣＰＵ３１は、編集対象のキープ画像としてモニタＡとモニタＢで同じ画像が選択されている場合、モニタＢにもタッチパネルＡからの入力を反映して表示させる必要があると判定し、ステップＳ４０の処理に進む。
　【００８３】
　ステップＳ４０において、表示プロセッサＢは、ＣＰＵ３１からの指示に基づいて、ステップＳ３７の処理で表示プロセッサＡのフレームバッファの第２の領域に記憶された落書き情報を、自らのフレームバッファの第２の領域に記憶させ、記憶させた画像情報をモニタＢに表示させる。その後、処理はステップＳ４１に進む。
　【００８４】
　ステップＳ３９において、ＣＰＵ３１は、タッチパネルＡから入力された落書きを、モニタＢにも反映させる（表示させる）必要がないと判定した場合、ステップＳ４１の処理に進む。また、ステップＳ３１において、ＣＰＵ３１は、タッチパネルＡから落書きが入力されていないと判定した場合、ステップＳ４１の処理に進む。
　【００８５】
　ステップＳ４１乃至ステップＳ５０の処理は、ステップＳ３１乃至ステップＳ４０の処理と同様の処理である。すなわち、タッチパネルＡとタッチパネルＢで、落書き対象の画像として、同じキープ画像が選択されており、同じ落書き処理が同時に入力された場合、ステップＳ３４の処理と同様に星を表示し、また、タッチパネルＢから落書きが入力された位置には、既にタッチパネルＡから落書きが入力されている場合、ステップＳ３６の処理と同様に、星を表示する。さらに、ＣＰＵ３１は、タッチパネルＢから入力され、モニタＢに表示されている落書きを、モニタＡに反映させて表示させる必要があると判定した場合、ステップＳ４０の処理と同様に、反映処理を行う。
　【００８６】
　ステップＳ４１において、タッチパネルＢから落書きが入力されていないと判定された場合、ステップＳ４９において、タッチパネルＢから入力された落書きを、モニタＡに反映させる必要がないと判定された場合、または、ステップＳ５０の処理が完了した場合、ステップＳ５１の処理に進む。
　【００８７】
　ステップＳ５１において、ＣＰＵ３１は、落書き処理の制限時間が経過したか否か、または、プリントボタン１２７が操作されたか否かを判定する。ＣＰＵ３１は、落書き処理の制限時間が経過しておらず、かつ、プリントボタン１２７が操作されていないと判定した場合、ステップＳ３１の処理に戻り、それ以降の処理が繰り返し実行される。
　【００８８】
　ステップＳ５１において、ＣＰＵ３１は、落書き処理の制限時間が経過したか、または、プリントボタン１２７が操作されたと判定した場合、図１３および図１４のフローチャートの処理を終了し、図４のステップＳ１５の処理に戻る。
　【００８９】
　本発明を適用した画像印刷装置１においては、利用者は、落書きを入力する場合、落書き可能な範囲を予め制限することで、自分の顔に落書きをしないように設定することができる。次に、図１８のフローチャートを参照して、落書き範囲制限処理について説明する。図１１に示す落書き画面において、クロマキボタン１２６が操作されたとき、図１８のフローチャートの処理が開始される。
　【００９０】
　ステップＳ６１において、ＣＰＵ３１は、クロマキボタン１２６が操作されたことに応じて、落書き可能範囲のメニュー画面を表示する。図１９は、このようにして表示される落書き可能範囲のメニュー画面を示している。図１９においては、落書き可能範囲を選択するとき操作される選択ボタン１３１、選択ボタン１３２、選択ボタン１３３の３種類が表示されている。選択ボタン１３１、選択ボタン１３２、選択ボタン１３３のそれぞれには、落書きができる範囲と、できない範囲の例が表示されており、落書きができる範囲は白で、落書きができない範囲は、斜線で表示されている。利用者は、タッチペン１４でカーソルを移動させることにより所定の選択ボタンを選択する。なお、利用者は、画面の下方に表示されているスクロールボタン９１を操作することにより、他の選択ボタンを表示させることができる。
　【００９１】
　選択ボタン１３１は、落書き対象として選択したキープ画像のどこにでも落書き可能とするとき操作される。選択ボタン１３１の右側には、「どこでもらくがきできるよ」のメッセージが表示されている。選択ボタン１３２は、落書きの対象として選択したキープ画像のうち、斜線部以外の比較的広い範囲（白の範囲）を落書き可能とするとき操作される。選択ボタン１３２の右側には、「白いところだけらくがきできるよ」のメッセージが表示されている。選択ボタン１３３は、落書きの対象として選択したキープ画像のうち、斜線部以外の比較的狭い範囲（白の範囲）を落書き可能とするとき操作される。選択ボタン１３３の右側には、「白いところだけらくがきできるよ（Ｂよりちょっとらくがきの範囲が狭いよ）」のメッセージが表示されている。以下、図示は省略するが、選択ボタン１３１，１３２，１３３以外に、さらに３個の選択ボタン１３４，１３５，１３６が用意されており、スクロールボタン９１を操作することで表示させることができる。
　【００９２】
　図２０は、落書き可能範囲の設定の例を示す図である。図２０（Ａ）は、表示プロセッサ３７のフレームバッファの第１の記憶領域に記憶されたＲ，Ｇ，Ｂの画素値を表している。なお、画素値は、０００乃至２５５のいずれかの値となる。この例では、暗いエリア（Ｒ，Ｇ，Ｂの画素値が全て閾値より小さいエリア）が落書き可能とされる。その閾値としては、選択ボタン１３１乃至１３６に対応して、２５５（Ａ），１８０（Ｂ），１２８（Ｃ），７０（Ｄ），５０（Ｅ），０（Ｆ）の値が設定されている。
　【００９３】
　従って、図２０（Ａ）に示すＲ，Ｇ，Ｂの値を有する各画素に対して、図２０（Ｂ）に示すように、閾値Ａ乃至Ｆが適用される。閾値Ａが適用される場合、全ての画素（エリア）に落書きが可能となる。逆に、閾値Ｆが適用される場合、実質的に、全ての画素（エリア）が落書き不可とされる。
　【００９４】
　ステップＳ６２において、表示プロセッサ３７は、ＣＰＵ３１からの指示に基づいて、モニタ３９に表示されている落書き対象のキープ画像に、落書き可能範囲を重ねて表示する。図２１は、表示プロセッサ３７が、落書き可能範囲を表示させたモニタ３９の表示例を示している。図２１において、落書きの対象は、図１１に示すキープ画像であり、落書き不可の範囲（利用者の顔に対応する範囲）を斜線部で示しており、それ以外の部分は落書き可能範囲とされている。
　【００９５】
　通常、利用者の背景には幕が配置されるので、利用者の顔が最も明るくなり、その周囲は暗くなる。そこで、上述したように、所定の閾値より暗いエリアに落書き可能とすることで、利用者の顔に不用意に落書きがされてしまうようなことが抑制される。所定の閾値より明るいエリアに落書き可能とすると、このようなことが抑制できないことになる。
　【００９６】
　ステップＳ６３において、ＣＰＵ３１は、タッチパネル３８からの通知に基づいて、落書きが入力されたか否かを判定する。ＣＰＵ３１は、落書きが入力されたと判定するまで待機し、落書きが入力されたと判定した場合、ステップＳ６４の処理に進む。
　【００９７】
　ステップＳ６４において、ＣＰＵ３１は、表示プロセッサ３７のフレームバッファの第１の領域に記憶されている各画素値と閾値とを比較して、落書きが入力された位置は、落書きが可能な範囲であるか（画素値が選択された閾値と等しいか、それより小さいか）否かを判定する。ＣＰＵ３１は、落書き可能範囲であると判定した場合、ステップＳ６５の処理に進む。
　【００９８】
　ステップＳ６５において、ＣＰＵ３１は、落書きが入力された位置に対応するフレームバッファの第２の領域の画像データを、入力された落書きの情報で更新し、モニタ３９に表示する。
　【００９９】
　一方、ステップＳ６４において、ＣＰＵ３１は、落書きが入力された位置は、落書きが禁止されている（画素値の値が閾値より大きい）範囲であると判定した場合、ステップＳ６６の処理に進む。
　【０１００】
　ステップＳ６６において、表示プロセッサ３７は、ＣＰＵ３１からの指示に基づいて入力された落書きを表示しない。すなわち、フレームバッファの第２の記憶領域の画像データは更新されずに、そのままのデータが保持される。
　【０１０１】
　ステップＳ６７において、ＣＰＵ３１は、落書き処理の制限時間が経過したか否か、または、プリントボタン１２７が操作されたか否かを判定する。ＣＰＵ３１は、落書き処理の制限時間がまだ経過しておらず、かつ、プリントボタン１２７が操作されていないと判定した場合、ステップＳ６３の処理に戻り、それ以降の処理が繰り返し実行される。
　【０１０２】
　ステップＳ６７において、ＣＰＵ３１は、落書き処理の制限時間が経過した、または、プリントボタン１２７が操作されたと判定した場合、処理を終了する。
　【０１０３】
　なお、図１８のフローチャートに示す処理は、操作パネルが１つだけ設けられている画像印刷装置に適用しても良い。
　【０１０４】
　以上においては、２つの操作パネル１３が設けられている画像印刷装置について説明したが、設置場所の可能な範囲で、操作パネル１３を２つ以上に増やしてもよい。
　【０１０５】
　さらに、操作パネル１３のそれぞれに、１つづつタッチペン１４が設けられるとしたが、ＣＰＵ３１が処理できる範囲で、１つの操作パネル１３に対して複数のタッチペン１４を用意しても良い。
　【０１０６】
　【発明の効果】
　本発明の画像印刷装置および方法、印刷媒体、並びにプログラムによれば、集入力を迅速かつ効率的に入力することができる。また、複数の利用者が同時に編集を行うことができ、さらに、複数の画像の編集操作が行い易くなる。
【図面の簡単な説明】
　【図１】
　本発明を適用した画像印刷装置の外観の例を示す図である。
　【図２】
　画像印刷装置の構成例を示すブロック図である。
　【図３】
　画像印刷装置の印刷処理を説明するフローチャートである。
　【図４】
　画像印刷装置の印刷処理を説明する図３に続くフローチャートである。
　【図５】
　デモ画面の表示例を説明する図である。
　【図６】
　説明画面の表示例を説明する図である。
　【図７】
　取り込み画像の例を説明する図である。
　【図８】
　撮影画面の例を説明する図である。
　【図９】
　印刷写真選択画面の例を説明する図である。
　【図１０】
　明るさ調整画面の例を説明する図である。
　【図１１】
　落書き画面の例を説明する図である。
　【図１２】
　分割数選択画面の例を説明する図である。
　【図１３】
　案内画面の例を説明する図である。
　【図１４】
　画像印刷装置の反映処理を説明するフローチャートである。
　【図１５】
　画像印刷装置の反映処理を説明する図１４に続くフローチャートである。
　【図１６】
　他の落書き画面の例を説明する図である。
　【図１７】
　さらに他の落書き画面の例を説明する図である。
　【図１８】
　画像印刷装置の落書き範囲制限処理を説明するフローチャートである。
　【図１９】
　落書き範囲選択メニューの表示例を説明する図である。
　【図２０】
　フレームバッファの例を説明する図である。
　【図２１】
　落書き範囲の表示例を説明する図である。
　【符号の説明】
　１　画像印刷装置
　１０　筐体
　１１−１および１１−２　スピーカ
　１２−１および１２−２　照明装置
　１３−１および１３−２　操作パネル
　１４−１および１４−２　タッチペン
　１５　ＣＣＤカメラ
　１６　取り込み画像表示部
　１７　撮影装置
　１８　駆動装置
　１９　硬貨投入口
　２０　シール取出口
　２１　足リモコン
　２２　階段
　３０　バス
　３１　ＣＰＵ
　３２　ＲＯＭ
　３３　ＲＡＭ
　３４　ドライバ
　３５　硬貨処理部
　３６　プリンタ
　３７−１　表示プロセッサ
　３７−２　表示プロセッサ
　３８−１　タッチパネル
　３８−２　タッチパネル
　３９−１　モニタ
　３９−２　モニタ
　４０−１および４０−２　音声出力装置